【手続補正書】
【提出日】平成21年12月1日(2009.12.1)
【手続補正１】
【補正対象書類名】特許請求の範囲
【補正対象項目名】全文
【補正方法】変更
【補正の内容】
【特許請求の範囲】
【請求項１】
光電変換手段を含む画素が行方向及び列方向に複数配列された画素配列と、
第１のモードにおいて、前記光電変換手段が第１の蓄積期間で信号を蓄積し、第２のモードにおいて、前記光電変換手段が前記第１の蓄積期間より短い第２の蓄積期間で信号を蓄積するように、前記画素配列の各画素を駆動する駆動手段と、
予め定めた１フレーム期間より短い第１の読み出し期間に前記画素配列から第１の画像信号を読み出し、前記１フレーム期間より長い第２の読み出し期間に前記画素配列から第２の画像信号を読み出す読み出し手段と、
前記第１のモードから前記第２のモードに切り替わる際には、前記第１の画像信号が読み出されるフレーム期間内に前記第２の画像信号の読み出し動作を開始するように前記読み出し手段を制御する制御手段と、
を備えたことを特徴とする撮像システム。
【請求項２】
前記制御手段は、前記第１の画像信号が読み出される前記フレーム期間内に前記第２の画像信号の蓄積が終了するように、前記駆動手段に前記光電変換手段を駆動させるように制御することを特徴とする請求項１に記載の撮像システム。
【請求項３】
前記制御手段は、前記第１のモードから前記第２のモードに切り替わり、さらに前記第１のモードに戻る際に、前記第１の読み出し期間及び前記第２の読み出し期間の合計が、２フレーム期間内に収まるように前記読み出し手段を制御することを特徴とする請求項１に記載の撮像システム。
【請求項４】
前記制御手段は、前記第１のモードから前記第２のモードに切り替わり、さらに前記第１のモードに戻る際に、前記第１の読み出し期間及び前記第２の読み出し期間の合計が、２フレーム期間内に収まるように前記駆動手段及び前記読み出し手段を制御することを特徴とする請求項２に記載の撮像システム。
【請求項５】
前記制御手段は、前記第１のモードから前記第２のモードに切り替わり、さらに前記第１のモードに戻る際に、前記第１の読み出し期間、前記第２の読み出し期間、及び別の前記第１の読み出し期間の合計が、３フレーム期間内に収まるように前記読み出し手段を制御することを特徴とする請求項１に記載の撮像システム。
【請求項６】
前記制御手段は、前記第１のモードから前記第２のモードに切り替わり、さらに前記第１のモードに戻る際に、前記第１の読み出し期間、前記第２の読み出し期間、及び別の前記第１の読み出し期間の合計が、３フレーム期間内に収まるように前記駆動手段及び前記読み出し手段を制御することを特徴とする請求項２に記載の撮像システム。
【請求項７】
前記第１のモードは動画撮影のみを行うモードであり、前記第２のモードは動画撮影と並行して静止画撮影を行うモードであることを特徴とする請求項１に記載の撮像システム。
【請求項８】
光電変換手段を含む画素が行方向及び列方向に複数配列された画素配列と、
蓄積期間において信号を蓄積するように前記画素配列の各画素の光電変換手段を駆動する駆動手段と、
前記画素配列から画像信号を読み出す読み出し手段と、
第１のフレーム期間内に始まる画像信号の第１の蓄積期間が前記第１のフレーム期間の次の第２のフレーム期間内に完了する場合に、前記第１のフレーム期間よりも短い前記第１の蓄積期間の完了後に前記画像信号の第２の蓄積期間が始まり、前記第２の蓄積期間が前記第２のフレーム期間内に完了するように前記駆動手段を制御する制御手段と、
露光期間の長さに応じて正しい露出の画像が得られるように前記画像信号を増幅する増幅手段と、
を備えたことを特徴とする撮像システム。
【請求項９】
前記制御手段は、信号の蓄積期間と前記増幅手段の信号に対する増幅率との関係を示す補正関数を記憶し、前記補正関数を参照することで、露光期間の長さに応じて増幅率を決定することを特徴とする請求項８に記載の撮像システム。
【請求項１０】
光電変換手段を含む画素が行方向及び列方向に複数配列された画素配列を有する撮像装置の制御方法であって、
第１のモードにおいて第１の蓄積期間で信号を蓄積し、第２のモードにおいて前記第１の蓄積期間より短い第２の蓄積期間で信号を蓄積するように、前記画素配列の各画素の前記光電変換手段を駆動する駆動ステップと、
予め定めた１フレーム期間より短い第１の読み出し期間に前記画素配列から第１の画像信号を読み出し、前記１フレーム期間より長い第２の読み出し期間に前記画素配列から第２の画像信号を読み出す読み出しステップと、
前記第１のモードから前記第２のモードに切り替わる際には、前記第１の画像信号が読み出されるフレーム期間内に前記第２の画像信号の読み出し動作を開始するように前記読み出しステップにおける動作を制御する制御ステップと、
を有することを特徴とする撮像装置の制御方法。
【請求項１１】
前記第１のモードは動画撮影のみを行うモードであり、前記第２のモードは動画撮影と並行して静止画撮影を行うモードであることを特徴とする請求項１０に記載の撮像装置の制御方法。
【請求項１２】
光電変換手段を含む画素が行方向及び列方向に複数配列された画素配列と、前記画素配列の各画素の前記光電変換手段を駆動する駆動手段と、前記画素配列から画像信号を読み出す読み出し手段と、を有する撮像装置の制御方法であって、
第１のフレーム期間内に始まる画像信号の第１の蓄積期間が、前記第１のフレームに続く第２のフレーム期間内に完了する場合に、前記駆動手段を制御して、第２のフレームの画像信号を所定蓄積時間よりも短い時間で前記画素配列において蓄積して読み出すことで、前記第２の蓄積期間が前記第２のフレーム期間内で完了するように、前記第１のフレーム期間よりも短い前記第１の蓄積期間の完了後に画像信号の第２の蓄積期間を開始させる制御ステップと、
蓄積期間の長さに応じた適正な露出の画像を得るために、前記画像信号を増幅する増幅ステップと、
を有することを特徴とする撮像装置の制御方法。
【手続補正２】
【補正対象書類名】明細書
【補正対象項目名】発明の名称
【補正方法】変更
【補正の内容】
【発明の名称】撮像システム及び撮像装置の制御方法
【手続補正３】
【補正対象書類名】明細書
【補正対象項目名】０００１
【補正方法】変更
【補正の内容】
【０００１】
本発明は、撮像システム及び撮像装置の制御方法に関する。
【手続補正４】
【補正対象書類名】明細書
【補正対象項目名】００１６
【補正方法】変更
【補正の内容】
【００１６】
本発明の第１側面に係る撮像システムは、光電変換手段を含む画素が行方向及び列方向に複数配列された画素配列と、第１のモードにおいて、前記光電変換手段が第１の蓄積期間で信号を蓄積し、第２のモードにおいて、前記光電変換手段が前記第１の蓄積期間より短い第２の蓄積期間で信号を蓄積するように、前記画素配列の各画素を駆動する駆動手段と、予め定めた１フレーム期間より短い第１の読み出し期間に前記画素配列から第１の画像信号を読み出し、前記１フレーム期間より長い第２の読み出し期間に前記画素配列から第２の画像信号を読み出す読み出し手段と、前記第１のモードから前記第２のモードに切り替わる際には、前記第１の画像信号が読み出されるフレーム期間内に前記第２の画像信号の読み出し動作を開始するように前記読み出し手段を制御する制御手段とを備えたことを特徴とする。
本発明の第２側面に係る撮像システムは、光電変換手段を含む画素が行方向及び列方向に複数配列された画素配列と、蓄積期間において信号を蓄積するように前記画素配列の各画素の光電変換手段を駆動する駆動手段と、前記画素配列から画像信号を読み出す読み出し手段と、第１のフレーム期間内に始まる画像信号の第１の蓄積期間が前記第１のフレーム期間の次の第２のフレーム期間内に完了する場合に、前記第１のフレーム期間よりも短い前記第１の蓄積期間の完了後に前記画像信号の第２の蓄積期間が始まり、前記第２の蓄積期間が前記第２のフレーム期間内に完了するように前記駆動手段を制御する制御手段と、露光期間の長さに応じて正しい露出の画像が得られるように前記画像信号を増幅する増幅手段とを備えたことを特徴とする。
【手続補正５】
【補正対象書類名】明細書
【補正対象項目名】００１７
【補正方法】変更
【補正の内容】
【００１７】
本発明の第３側面に係る撮像装置の制御方法は、光電変換手段を含む画素が行方向及び列方向に複数配列された画素配列を有する撮像装置の制御方法であって、第１のモードにおいて第１の蓄積期間で信号を蓄積し、第２のモードにおいて前記第１の蓄積期間より短い第２の蓄積期間で信号を蓄積するように、前記画素配列の各画素の前記光電変換手段を駆動する駆動ステップと、予め定めた１フレーム期間より短い第１の読み出し期間に前記画素配列から第１の画像信号を読み出し、前記１フレーム期間より長い第２の読み出し期間に前記画素配列から第２の画像信号を読み出す読み出しステップと、前記第１のモードから前記第２のモードに切り替わる際には、前記第１の画像信号が読み出されるフレーム期間内に前記第２の画像信号の読み出し動作を開始するように前記読み出しステップにおける動作を制御する制御ステップとを有することを特徴とする。
本発明の第４側面に係る撮像装置の制御方法は、光電変換手段を含む画素が行方向及び列方向に複数配列された画素配列と、前記画素配列の各画素の前記光電変換手段を駆動する駆動手段と、前記画素配列から画像信号を読み出す読み出し手段とを有する撮像装置の制御方法であって、第１のフレーム期間内に始まる画像信号の第１の蓄積期間が、前記第１のフレームに続く第２のフレーム期間内に完了する場合に、前記駆動手段を制御して、第２のフレームの画像信号を所定蓄積時間よりも短い時間で前記画素配列において蓄積して読み出すことで、前記第２の蓄積期間が前記第２のフレーム期間内で完了するように、前記第１のフレーム期間よりも短い前記第１の蓄積期間の完了後に画像信号の第２の蓄積期間を開始させる制御ステップと、蓄積期間の長さに応じた適正な露出の画像を得るために、前記画像信号を増幅する増幅ステップとを有することを特徴とする。